(57)【要約】【課題】  肩帯が肩からずれ落ちないことは勿論のこと、身長に応じて使い勝手の良い適正位置が簡便に得られるようにする作業用長尺エプロンを提供する。【解決手段】  左右肩部へ一対の肩帯を縫着して着用する長尺エプロンにおいて、該肩帯の何れか片方の縫着部より２５ｃｍの下方位置から３０ｃｍの範囲内に長さ寸法を７ｃｍ〜１５ｃｍとなした調整紐を取り付けしめ、該調整紐に対し他の肩帯を交差する状態に挿入させ、調整紐の長さ範囲で着用時の身長に適宜対応するエプロンの肩帯交差位置変更を可能になし、このさい、上記した調整紐がその複数を肩帯の長さ方向で、一部が重なり合う雁行状態に取付けたりする。【選択図】      図２
0003121154.tif 000002
【実用新案登録請求の範囲】
【請求項１】
左右肩部へ一対の肩帯を縫着して着用する長尺エプロンにおいて、該肩帯の何れか片方の縫着部より２５ｃｍの下方位置から３０ｃｍの範囲内に長さ寸法を７ｃｍ〜１５ｃｍとなした調整紐を取り付けしめ、該調整紐に対し他の肩帯を交差する状態に挿入させ、調整紐の長さ範囲で着用時の身長に適宜対応するエプロンの肩帯交差位置変更を可能になしたことを特徴とする作業用長尺エプロン。
【請求項２】
上記した調整紐の複数を肩帯の長さ方向で、一部が重なり合う雁行状態に取付けたことを特徴とする請求項１記載の作業用長尺エプロン。
【考案の詳細な説明】
【技術分野】
【０００１】
本考案は、身長に応じて使い勝手の良い適正位置を簡便に調整可能となされる作業用長尺エプロンに関する。
【背景技術】
【０００２】
従来から、図５に示す如く、胸当て部分１０から延びる肩帯１１を肩に掛け背中部分で交差させ、該肩帯を左右側部に設けられた環１２に通して後部で結んで使用する作業用長尺エプロンに於いては、肩帯１１が肩からずれ落ちないように交差部分に留め具１３を使用するものがある。
しかし、該留め具は交差位置で肩帯を固定させるものであって、交差位置を変更するには左右の肩帯の肩から交差位置までの長さを同じにしなければ着用した際に片方の肩帯が肩からずれてしまうという問題がある。
【特許文献１】特開２００３−１９３３０７号
【考案の開示】
【考案が解決しようとする課題】
【０００３】
そこで、本考案は、肩帯が肩からずれ落ちないことは勿論のこと、身長に応じて使い勝手の良い適正位置が簡便に得られるようにする作業用長尺エプロンを提供することを目的とする。
【課題を解決するための手段】
【０００４】
本考案に係る作業用長尺エプロンは、左右肩部へ一対の肩帯を縫着して着用する長尺エプロンにおいて、該肩帯の何れか片方の縫着部より２５ｃｍの下方位置から３０ｃｍの範囲内に長さ寸法を７ｃｍ〜１５ｃｍとなした調整紐を取り付けしめ、該調整紐に対し他の肩帯を交差する状態に挿入させ、調整紐の長さ範囲で着用時の身長に適宜対応するエプロンの肩帯交差位置変更を可能になしたことを特徴とする。このさい、上記した調整紐がその複数を肩帯の長さ方向で、一部が重なり合う雁行状態に取付けたりする。
【考案の効果】
【０００５】
本考案品は以上の如き構成であって、即ち左右一対の肩帯が背中部分で交差する箇所において、肩帯の１つを他方に肩帯裏面に取付けた調整紐内に挿入させて使用するのであり、これにより左右肩帯の端部を引っ張ると上記調整紐内で自然な摺動移動を許容して交差位置に於ける左右帯体の長さ調節が行われるのであり、而してこの引っ張り状態下で肩帯先端を結んで固定すると、エプロンは上記の調整紐内で交差摺動を可能にする高さ範囲で、これに相応する高さ位置が着用者の前面側で変えられるものとなる。
【０００６】
而して、該調整紐の複数をその取付け位置をずらした状態に取付けたものでは、適宜その中の１つを選択して使用することで、上記の調整紐を１箇となしたものに比べて、極めてデリケートな高さ位置の変更を可能にして、着用者の身長に見合った任意な選択を可能にすることができるのである。具体的には背の低い人は肩付け部に近い箇所にある調整紐を使用すると良く、反対に背の高い人は遠い箇所、即ち下方箇所の調整紐を使用することにより、エプロンの胸前位置を使用勝手の良い適正位置に配置させることができるのである。
【考案を実施するための最良の形態】
【０００７】
以下、図面に示す実施の態様について説明する。
図１は本考案に係る作業用長尺エプロンの背面図、図２は図１の一点鎖線箇所を裏返して示す説明図、図３は他の例の説明図、図４は着用者の身長でエプロンの着用位置が変えられる状態を示す説明図である。
【０００８】
作業用長尺エプロン１は脚覆い部１ａと胸当て部１ｂが一体に形成されたものであって、胸当て部１ｂの上部には左右の肩帯２、２がその上端部を縫着して取付けられ、該肩帯２、２は背中部分で交差し、脚覆い部１ａの左右側部にはＤ環３、３が取付けられ、該Ｄ環３、３に上記肩帯２、２の下端を通して中央で結び合わせるのである。
【０００９】
本考案は上記構成の作業用長尺エプロンに於いて、左右何れかの肩帯に対し、その上端の取付け位置より２５ｃｍ下方位置から３０ｃｍの距離範囲に対し、長さ寸法を７ｃｍ〜１５ｃｍとなした調整紐４を取付けるようになすのであり、上記範囲内へ一箇だけ設けるようになしても良いが、複数箇をその長さ方向で一部が重なり合う雁行状態に取付ける。図２は１箇取付けたものでＡは該調整紐４に他の肩帯２を挿通させていない状態を、Ｂ、Ｃは何れも挿通させた状態を示すものであるが、Ｂは肩帯２が調整紐４の上方摺動で係止されるものを、これに対しＣは下方摺動で係止されるものを示し、このさい摺動高低差Ｓはその時に於ける肩帯の先端を結んで、着用者がその前側で位置を変更可能にする長さ寸法に相当する。
【００１０】
上記に対し図３は２箇の調整紐４、４’を配設してものであり、Ａは他の肩帯を上方の調整紐４へ挿通させた場合を、Ｂは下方の調整紐４’へ挿通させたものを示す。これら図面に見られる通り、本例の場合に於ける上記した摺動高低差Ｓ’はＳ＜Ｓ’となり、より広い範囲でエプロンの着用高さ位置の変更を可能になすことができるものとなる。なお、使い勝手の良い一般的な使用での肩帯の巾寸法は凡そ４ｃｍである。
【００１１】
図４Ａ、Ｂ、Ｃは身長（高さ）に対応した着用状況を示すものであり、図示例では上記エプロンを着用した際の状態例であり、この胸当箇所の高さ位置（裾高さも同様）調整は後背部の上述した調整紐を介して行われるのである。ところで、該胸当部の高さ位置は体形や着用時の好みに応じて変えられるのであり、この場合の使用に於いても上記した複数の調整紐を適宜選択使用することにより、極めて容易に得られ且つそのさいずれたりすることがないことから、安定した使用勝手の良い商品を提供することができるのである。
【図面の簡単な説明】
【００１２】
【図１】本考案に係る作業用長尺エプロンの背面図である。
【図２】図１の一点鎖線箇所を裏返して示す説明図である。
【図３】上記の他の例を示す説明図である
【図４】着用状態を示す説明図である。
【図５】従来のエプロンの説明図である。
【符号の説明】
【００１３】
１    作業用長尺エプロン
２    肩帯
３    Ｄ環
４    調整紐
【図１】
0003121154.tif 000003
【図２】
0003121154.tif 000004
【図３】
0003121154.tif 000005
【図４】
0003121154.tif 000006
【図５】
0003121154.tif 000007